(57)【要約】【課題】雨水等の排水と共に路面を移動する異物を排水と同時に排出でき、雨水、砂、異物等が混在する排水を高効率で行い、かつ、小型化したこと。【解決手段】道路側溝または橋梁の側溝の排水管路に接続され、排水吸込口Ａよりも排水排出口Ｂの排水流に対する垂直断面の開口面積の内径を狭く形成した本体１０と、本体１０の排水吸込口Ａの上面を被うグレーチング蓋１３とを具備し、本体１０は、排水排出口Ｂの直径Ｄに対して楕円の長径を２Ｄとし、短径を４Ｄ／３の楕円方程式の曲線に沿って排水吸込口を７Ｄ／３の直径とし、排水吸込口Ａの上面を被うグレーチング蓋１３を通過し、排水吸込口Ａから排水排出口Ｂに連続的に排水を流すものである。【選択図】図９
2016156243.tif 000002
【特許請求の範囲】
【請求項１】
道路側溝または橋梁の側溝の排水管路に接続され、排水吸込口よりも排水排出口の排水に対する開口面積を狭く形成した本体と、
前記本体の前記排水吸込口の上面を被うグレーチング蓋とを具備し、
前記本体の縦断面は、前記排水排出口の直径Ｄに対して楕円の長径を２Ｄとし、短径を４Ｄ／３の楕円方程式の曲線に沿って排水吸込口を７Ｄ／３の直径とし、前記排水吸込口の上面を被うグレーチング蓋を通過し、前記排水吸込口、前記排水排出口と排水を流すことを特徴とする側溝排水装置。
【請求項２】
道路側溝または橋梁の側溝の排水管路に接続され、排水吸込口よりも排水排出口の排水流に対する開口面積を順次狭く形成した本体と、
前記本体の前記排水吸込口の内面の接線方向に排水を供給する沿面排水供給路と、
前記本体の前記排水吸込口の上面を被うグレーチング蓋と、
排水が前記沿面排水供給路からのみ供給されるときには、前記本体に形成された内面の接線方向に、また、排水が前記沿面排水供給路を通過する量を超えたときには、前記沿面排水供給路からの排水の供給に加えて、前記排水吸込口の上面を被うグレーチング蓋を通過して、前記沿面排水供給路から供給された渦流を利用して前記排水吸込口から前記排水排出口に排水を流す主排水路と
を具備することを特徴とする側溝排水装置。
【請求項３】
前記本体は、内部の面の接線方向に前記本体の中心方向に突出する排水路ガイドを形成し、前記沿面排水供給路で運ばれた排水が内周面を巻回する流れとしたことを特徴とする請求項２に記載の側溝排水装置。
【請求項４】
前記沿面排水供給路は、前記グレーチング蓋の平面視の外方向位置から、前記グレーチング蓋の下側を通過する排水路としたことを特徴とする請求項２または請求項３に記載の側溝排水装置。
【請求項５】
前記本体は、前記排水排出口の直径Ｄに対して楕円の長径を２Ｄとし、短径を４Ｄ／３の楕円方程式の曲線に沿って排水吸込口を７Ｄ／３の直径のベルマウス構造としたことを特徴とする請求項１乃至請求項４の何れか１つに記載の側溝排水装置。
【請求項６】
前記本体の直径Ｄからなる前記排水排出口の垂直方向の排水部の長さは、Ｄ／３〜Ｄとしたことを特徴とする請求項１または請求項５に記載の側溝排水装置。
【請求項７】
前記本体には、その重心位置の対向側に全体を持ち上げるコ字状の取手を配設したことを特徴とする請求項１乃至請求項６の何れか１つに記載の側溝排水装置。
【請求項８】
前記グレーチング蓋は、前記本体及び前記排水部に連続して形成された上枡に水平方向に螺合するボルトナットで一体に締め付けたことを特徴とする請求項１乃至請求項７の何れか１つに記載の側溝排水装置。
【発明の詳細な説明】
【技術分野】
【０００１】
本発明は、道路の縁石に沿って形成された側溝に道路沿面を流れる雨水等を集めて側溝排水を行う側溝排水装置に関するものである。
【背景技術】
【０００２】
基本的には、図１２に示すように、雨水等は道路の両側に縁石部２０１を設けた排水ブロック２０３が配列され、グレ−チング等のフィルタ２０２、側溝排水装置、排水部２０６を通して、地中２０５に埋設した排水管路２０４に排水されている。
また、道路の縁石部２０１に沿って形成された排水管路２０４に道路沿面を流れる雨水等を集めて排水を行う側溝排水装置の例として、特許文献１に掲載の初期雨水と、その初期雨水以外の雨水とに大別して流入する２連式浸透雨水枡による浸透目詰りの防止と集水機能を発揮させる技術が開示されている。
即ち、泥だめ槽と、浸透連結管及び下水本管流出口を設けた浸透枡槽とを連通した２連式浸透雨水枡において、泥だめ槽の蓋を初期雨水と最盛雨水とが流入する蓋とし、浸透枡槽の蓋を最盛雨水が流入する蓋にしたので、初期雨水の土砂を泥だめ槽で先ず捕捉し、浸透目詰りを防止し、両槽で集水するから集水機能を発揮するものである。
【０００３】
具体的には、泥だめ槽と、浸透部及び／または浸透連結管を設け、かつ、下水本管側接続の浸透枡槽とを連通させた浸透雨水枡にあって、前記泥だめ槽の蓋を、少なくとも初期雨水を流入させる蓋に構成すると共に、前記浸透枡槽の蓋を、主として前記初期雨水以外の雨水を流入させる蓋に構成して、比較的汚濁した初期雨水を前記泥だめ槽に優先的に流入させることにより、浸透能力を持続させると共に、雨水枡の集水機能を喪失させないようにしている。また、前記泥だめ槽の蓋を上面平板状グレ−チングとし、前記浸透枡槽の蓋を上面山形状多孔板蓋とし、雨水流れ面より若干下げ、前記浸透枡槽の蓋を台形状グレ−チングとして、雨水流れ面より若干上げた構造とし土砂及び落葉等の粗いゴミを捕捉濾過している。
【０００４】
そして、浅い泥だめ槽と、浸透部及び／または浸透連結管を設け、かつ、下水本管側接続の深い浸透枡槽とを連通させた浸透雨水枡にあって、前記泥だめ槽に、泥だめ部と並設して粗いゴミ採り浸透槽を設け、前記浸透枡槽を細かいゴミ採り浸透槽に構成して、落葉等で汚濁している初期雨水を泥だめ槽に優先して流入させている。
更に、泥だめ槽と浸透枡槽とを並設して連通した浸透雨水枡にあって、前記泥だめ槽の蓋を少なくとも初期雨水を流入させる蓋にし、浸透枡槽の蓋を前記初期雨水以外の雨水を積極的に流入させる蓋にして、初期雨水を泥だめ槽に優先的に流入させ、初期雨水以外の雨水を両槽に流入させて、雨水枡の集水機能を発揮させるものである。
【先行技術文献】
【特許文献】
【０００５】
【特許文献１】特開２００３−８２７４７
【発明の概要】
【発明が解決しようとする課題】
【０００６】
ところが、発明者らが模型を作成して実験してみると、初期雨水とその後の雨水とでは技術的に区別ができず、各種追試を試みたが結果的に独自の解釈で検討せざるを得なかった。殊に、特許文献１は、泥だめ槽と、浸透連結管及び下水本管流出口を設けた浸透枡槽とを連通した２連式浸透雨水枡であり、泥だめ槽の蓋を初期雨水と最盛雨水とが流入する蓋にし、浸透枡槽の蓋を最盛雨水が流入する蓋にし、初期雨水の土砂を泥だめ槽で先ず捕捉し、浸透目詰りを防止し、両槽で集水できるものである。
しかし、泥だめ槽の砂等を天気の状態によって定期的に管理する必要があり、また、道路の縁石に沿って形成された側溝には、道路から異物が流れ込み、泥だめ槽に沈殿させるというのは、管理上好ましくなかった。
また、特許文献１は２連式浸透雨水枡であり、大型化されているので、施工、メンテナンスが効率的に行えないという問題があった。特に、橋梁においては、装置を小型化し、かつ、メンテナンスフリーそして、長寿命化できる構成が望ましい。
【０００７】
そこで、本発明は、かかる従来の問題点を解消し、雨水等の排水と共にアスファルト路面を移動する異物を排水と同時に排出でき、雨水、砂、異物等が混在する排水を高効率で行い、かつ、小型化した側溝排水装置の提供を課題とするものである。
【課題を解決するための手段】
【０００８】
請求項１の発明にかかる側溝排水装置は、道路側溝または橋梁の側溝の排水管路に接続され、排水断面の開口面積が排水吸込口よりも排水排出口を狭く形成した本体と、前記本体の前記排水吸込口の上面を被うグレーチング蓋とを具備し、前記本体の縦断面においては、前記排水排出口の直径Ｄに対して楕円の長径を２Ｄとし、短径を４Ｄ／３の楕円方程式の曲線に沿って排水吸込口を７Ｄ／３の直径とし、前記排水吸込口の上面を被うグレーチング蓋を通過し、前記排水吸込口から前記排水排出口に連続的に排水を流すものである。なお、前記本体の縦断面においてとは、正面または側面の何れかの１以上の位置でその縦断面が、当該楕円の方程式の一部になることを意味する。
【０００９】
ここで、上記本体とは、道路側溝または橋梁の側溝の排水管路に接続され、排水吸込口よりも排水排出口の排水の開口面積を狭く形成したもので、排水吸込口及び排水排出口の範囲の排水を流す形状部分である。排水吸込口から排水管路までの排水部の距離はＤ／３〜Ｄの長さが好ましいが、ゼロであってもよい。即ち、０≦排水管路長≦Ｄ／３〜Ｄである。
また、上記グレーチング蓋とは、前記本体の前記排水吸込口の上面を被うグレーチングで作成された蓋であり、本発明を実施する場合には、同種の機能のものであれば使用できる。
そして、前記本体は、前記排水排出口の直径Ｄに対して楕円の長径を２Ｄとし、短径を４Ｄ／３の楕円方程式の曲線に沿って排水吸込口を７Ｄ／３の直径とし、前記排水吸込口の上面を被うグレーチング蓋を通過した排水は、前記排水吸込口、前記排水排出口と流れるものである。この楕円方程式は基本形であるが、本発明を実施する場合には、正確には前記楕円方程式から数値的に離れても、排水の流れ方向に対する直角な水平ベクトル成分が互いに衝突しない曲線及び／または直線であればよい。
【００１０】
請求項２の発明にかかる側溝排水装置は、道路側溝または橋梁の側溝の排水管路に接続され、排水吸込口よりも排水排出口の排水に対する開口面積を順次狭く形成した本体と、前記排水吸込口の内面の接線方向に排水を供給する沿面排水供給路と、前記本体の前記排水吸込口の上面を被うグレーチング蓋とを具備し、排水が前記沿面排水供給路からのみ供給されるときには、前記本体に形成された内面の接線方向に、また、排水が前記沿面排水供給路を通過する量を超えたときには、前記排水吸込口の上面を被うグレーチング蓋を通過して、前記沿面排水供給路から供給された渦流を利用して前記排水吸込口から前記排水排出口に排水を流すものである。
ここで、上記本体は、道路側溝または橋梁の側溝の排水管路に接続され、排水吸込口よりも排水排出口の排水流に対する開口面積を狭く形成したものであればよく、ベルマウス構造、ロート状の円錐、略円錐等の形態とすることができる。
また、上記沿面排水供給路は、前記本体の前記排水吸込口の内面の接線方向に排水を供給するもので、前記本体の内面側を周方向に排水が流れればよい。
そして、上記グレーチング蓋は、前記本体の前記排水吸込口の上面を被うものであり、蓋機能及び排水部に接続される排水管路としての排水機能があればよい。
更に、排水が前記沿面排水供給路からのみ供給されるときとは、排水量の少ないときを意味する。このとき、前記本体に形成された内面の接線方向に、また、排水が前記沿面排水供給路を通過する量を超えたときには、前記排水吸込口の上面を被うグレーチング蓋を通過して、前記沿面排水供給路から供給された排水は渦流となっているから、その渦流を利用して前記排水吸込口から前記排水排出口に排水を流すものである。
更にまた、主排水路とは、排水が前記沿面排水供給路を通過する量を超えたとき、前記沿面排水供給路からの排水の供給に加えて、前記排水吸込口の上面を被うグレーチング蓋を通過し、かつ、前記沿面排水供給路から供給された渦流を利用して前記排水吸込口から前記排水排出口に排水を流す水路で、前記沿面排水供給路を含む水路である。
【００１１】
請求項３の発明にかかる側溝排水装置の前記本体は、内部の面の接線方向に前記本体の中心方向に突出する排水路ガイドを形成し、前記沿面排水供給路で運ばれた排水が内周面を巻回する流れとしたものである。
ここで、上記内部の面の接線方向に前記本体の中心方向に突出する排水路ガイドは、内部の沿面に沿って排水の流れが回転するようにガイドするものである。
【００１２】
請求項４の発明にかかる側溝排水装置の前記沿面排水供給路は、前記グレーチング蓋の平面視の外方向位置から、前記グレーチング蓋の下側を通過し、側溝排水装置の沿面に沿って排水を流す排水路としたものである。
ここで、排水路とは、前記グレーチング蓋の平面視の外方向位置から前記グレーチング蓋の下側を通過するものであり、前記グレーチング蓋の平面視の外方向位置に開口を設け、その開口がグレーチング蓋の下を経て前記本体の内面の接線方向に至るものである。
【００１３】
請求項５の発明にかかる側溝排水装置の前記本体は、前記排水排出口の直径Ｄに対して楕円の長径を２Ｄとし、短径を４Ｄ／３の楕円方程式の曲線に沿って排水吸込口を７Ｄ／３の直径のベルマウス構造としたものである。
ここで、上記ベルマウス構造の楕円方程式は基本形であるが、本発明を実施する場合には、正確には前記楕円方程式から数値的に離れても、排水の流れ方向に対する直角な水平ベクトルが互いに衝突しない曲線及び／または直線で近似させたものでもよい。何れにせよ、不連続線がでてこない曲線であればよい。
【００１４】
請求項６の発明にかかる側溝排水装置の前記本体の直径Ｄからなる前記排水排出口の垂直方向の長さの排水部は、Ｄ／３〜Ｄとしたものである。即ち、前記排水排出口の垂直方向の長さは、排水流の整流作用に寄与するので、好ましくは、排水管路までの排水部の距離をＤ／３〜Ｄの長さとしたものである。
【００１５】
請求項７の発明にかかる側溝排水装置の前記本体には、その重心位置の対向側に全体を持ち上げる強度のコ字状の取手を配設したものである。
ここで、対向側に配設したコ字状の取手は、重心位置を挟んで２個配設され、人力でも、機械力でも安定した設置位置合わせが可能なものである。特に、コ字状の取手は、ベルトの使用が可能なものである。特に、突出する対抗する１本の棒材であると、バランスをとったり、先端が引っ掛かったりするので、角は面取り処理してもよいが全体略コ字状が好ましい。
【００１６】
請求項８の発明にかかる側溝排水装置の前記グレーチング蓋は、前記本体に連続して形成された上枡に水平方向に螺合するボルトナットで一体に締め付けたものである。
ここで、前記本体に連続して形成された上枡受に上枡及びグレーチング蓋を重ね、水平方向にボルトナットで螺合するものであり、水平方向にボルトナットで締付けできればよい。
【発明の効果】
【００１７】
請求項１の発明の側溝排水装置は、道路側溝または橋梁の側溝の排水路に接続され、排水吸込口よりも排水排出口の排水流に対する開口面積を狭く形成した本体と、前記本体の前記排水吸込口の上面を被うグレーチング蓋とを具備し、前記本体は、前記排水排出口の直径Ｄに対して楕円の長径を２Ｄとし、短径を４Ｄ／３の楕円方程式の曲線に沿って排水吸込口を７Ｄ／３の直径とし、前記排水吸込口の上面を被うグレーチング蓋を通過し、前記排水吸込口、前記排水排出口と順次排水を流すものである。このとき、排水の流れをより良くするには、排水吸込口から排水管路までの排水部の距離は、Ｄ／３〜Ｄの長さが好ましい。
ここで、発明者らは従来及び現行品を縮小した縮小模型実験での限界排水量を測定した。ベルマウス形状が従来の規格化された構造のものと比較すると、約４０％排水量が多くなっている。各形状で統計的に違いが認められたものはベルマウス型と円錐型だけであった。円錐型はベルマウス型に準じた性能が期待されるが、結果は従来及び現行品に比較して、限界排水量の向上率が約１０％と低かった。その要因として、アスファルト路面から水平に流入した雨水等の排水がグレーチング蓋から落下するとき、大きな剥離渦が発生していることが確認された。一方、ベルマウス型では明確な剥離領域は確認されなかった。このことから流れの剥離による流体抵抗は小さいと推定される。また、円錐型では上側の漏斗状部分と下側の管路部分との接合点において小規模な剥離渦が確認された、このことがベルマウス型との限界排水性能の違いであると考えられる。ベルマウス型では本体の形状に沿って滑らかに流れるのに対して、従来及び現行品の縮小模型では本体で水平方向に向かい合った流れが衝突することで大きな流体抵抗が生じ、急激に限界排水状態へ遷移し、このように雨水流入量が限界排水量に達していない場合であっても、それぞれの流れの様子は大きく異なる。箱形以外の形状でも概ね同様の傾向が観察されており、このことから側溝排水装置の通水性能は内部での流れの剥離状態によって決まることが確認された。特に、剥離を抑制することが排水量の限界排水量の向上に繋がることが確認された。
【００１８】
請求項２の発明の側溝排水装置は、道路側溝または橋梁の側溝の排水管路に接続され、排水吸込口よりも排水排出口の排水の開口面積を順次狭く形成した本体と、前記本体の前記排水吸込口の内面の接線方向に排水を供給する沿面排水供給路と、前記本体の前記排水吸込口の上面を被うグレーチング蓋とを具備し、排水が前記沿面排水供給路からのみ供給されるときには、前記本体に形成された内面の接線方向に、また、排水が前記沿面排水供給路を通過する量を超えたときには、前記排水吸込口の上面を被うグレーチング蓋を通過して、前記沿面排水供給路から供給された渦流を利用して前記排水吸込口から前記排水排出口に主排水路を用いて排水を流すものである。
【００１９】
したがって、側溝の排水管路に接続され、排水吸込口よりも排水排出口の排水流の開口面積を狭く形成した本体に対し、沿面排水供給路から前記排水吸込口の内面の接線方向に排水を供給する。このとき、前記沿面排水供給路から前記排水吸込口の内面の接線方向に排水を供給することから、排水は前記本体の排水吸込口から排水排出口に移動する間に前記本体内面を円弧を描いて流れる。この間は、前記沿面排水供給路から前記排水吸込口の内面に排水が供給され、前記本体の排水吸込口から排水排出口に至るまでの洗浄を行う。また、雨水が多くなり、排水量が多くなると、それまでに前記本体の排水吸込口から排水排出口の排水流を軸とする渦流ができているから、その渦流が増大する方向に排水が流れる。このとき、グレーチング蓋を通過する排水も渦巻流となり、前記本体の排水吸込口から排水排出口に至るまでの洗浄を行う。また、突然の集中豪雨であっても、また、数分間に降る雨の量が急激であっても、側溝排水装置に流れ着く排水の量は順次増加することになるから、前述の渦巻の大きさが急激に変化し、急激に増大する。このとき、前記本体の排水吸込口から排水排出口に至る垂直軸方向には渦が発生するが、この排水方向の軸の渦は、剥離渦流のように排水の流れの流体抵抗を増すことはない。反対に、垂直の軸方向の渦は、排水方向の力を持つから排水速度を上昇させ、限界排水量を増大させる。例えば、ベルマウス型と円錐型においては限界排水量を大きくすることができる。これは、弾丸に対して回転を与えるのと同様、他の抵抗を無視し、まっすぐ飛ぶことに似ている。
【００２０】
請求項３の発明の側溝排水装置の前記本体は、内部の面の接線方向に前記本体の中心方向に突出する排水路ガイドを形成し、前記沿面排水供給路で運ばれた排水が内周面を巻回する流れとしたものであるから、請求項２に記載の効果に加えて、前記本体の排水吸込口から排水排出口に至るまで前記沿面排水供給路で運ばれた排水を受けて、前記本体の内面を通る水路を形成でき、安定した排水の流れができる。
【００２１】
請求項４の発明の側溝排水装置は、前記グレーチング蓋の平面視の外方向位置から、前記グレーチング蓋の下側を通過する排水路としたものであるから、請求項２または請求項３に記載の効果に加えて、前記グレーチング蓋の外側及び下側に通過する前記沿面排水供給路は、前記グレーチング蓋を通過する排水量の多いときに負圧になり清掃されるから、目詰まりが生じ難い。また、組み付け、分解の際には、前記グレーチング蓋の取手として手を差し入れる空間として使用でき、取手兼用の窪みとすることができる。
【００２２】
請求項５の発明の側溝排水装置の前記本体は、前記排水排出口の直径Ｄに対して楕円の長径を２Ｄとし、短径を４Ｄ／３の楕円方程式の曲線に沿って排水吸込口を７Ｄ／３の直径のベルマウス構造としたものであるから、請求項２乃至請求項４の何れか１つに記載の効果に加えて、前記楕円方程式に近いと排水速度が速く、単位時間当たりの排水量が増加する。
殊に、楕円方程式の曲線に沿って排水すると排水吸込口で生じる剥離による流体抵抗はなくなる。円錐型では上側の漏斗状部分と下側の管路部分との接合点において小規模な剥離渦が確認され、このことがベルマウス型との限界排水性能の違いであると判断される。特に、ベルマウス型では本体の形状に沿って滑らかに流れるのに対して、従来及び現行品の縮小模型では本体内で水平方向に向かい合った流れ成分が衝突することでベクトル的に大きな流体抵抗が生じ、急激に限界排水状態へ遷移し、このように雨水流入量が限界排水量に達していない場合であっても、それぞれの流れの様子は大きく異なる。箱形以外の形状でも概ね同様の傾向が観察されており、このことから側溝排水装置の通水性能は内部での流れの剥離状態によって左右されることが判断される。特に、剥離を抑制することが限界排水量の向上に繋がる。
【００２３】
請求項６の発明にかかる側溝排水装置の前記本体の直径Ｄからなる前記排水排出口の垂直方向の長さの排水部は、Ｄ／３〜Ｄとしたものであるから、請求項１または請求項５に記載の効果に加えて、即ち、前記排水排出口の垂直方向の長さは、排水路（排水管）までの排水部の距離をＤ／３〜Ｄの長さとしたものであるから、排水流の整流作用で流れがスムーズであり、限界排水量を増加させることができる。
【００２４】
請求項７の発明の側溝排水装置の前記本体は、その重心位置の対向側の外側に全体を持ち上げるコ字状の取手を配設したことを特徴とする請求項１乃至請求項６の何れか１つに記載の効果に加えて、例えば、通常２０Ｋｇ以上の装置は、１人または２人の人力でも腰に大きな負担がかかるが、コ字状の取手を配設したことで、簡単な機械、例えば、ハンドリフト、トラックリフト等を使用でき、かつ、安定した持ち上げ、施工が可能である。
【００２５】
請求項８の発明にかかる側溝排水装置の前記グレーチング蓋は、前記本体に連続して形成された上枡に水平方向に螺合するボルトナットで一体に締め付けたものであるから、請求項１乃至請求項６の何れか１つに記載の効果に加えて、前記本体に連続して形成された上枡に前記グレーチング蓋を重ね、水平方向にボルトナットで螺合でき、排水の流れの邪魔にならない。また、異物の侵入に対して排水として流してしまうので、引っ掛かりによって排水を阻害することがない。
【図面の簡単な説明】
【００２６】
【図１】図１は本発明の実施の形態１の側溝排水装置をモデル化した本体及び排水管の説明図で、（ａ）はベルマウス型、(ｂ)は規格Ｎ型、(ｃ)は角錐リブ型、(ｄ)は規格Ｍ型、(ｅ)は旧排水型、(ｆ)は円錐型である。
【図２】図２は本発明の実施の形態１の側溝排水装置における縮小模型実験での限界排水量を測定した測定原理説明図である。
【図３】図３は本発明の実施の形態１の側溝排水装置における縮小模型実験で旧式形状である規格Ｏ型（箱型）の排水状況を説明する説明図である。
【図４】図４は本発明の実施の形態１の側溝排水装置における縮小模型実験で旧式形状である規格Ｏ型（箱型）の他の排水状況を説明する説明図である。
【図５】図５は本発明の実施の形態１の側溝排水装置における縮小模型実験でベルマウス型と本体との関係を説明する説明図である。
【図６】図６は本発明の実施の形態１の側溝排水装置における縮小模型実験でベルマウス型を説明する説明図である。
【図７】図７は本発明の実施の形態１の側溝排水装置における縮小模型実験の限界排水量を棒グラフで説明する説明図である。
【図８】図８は本発明の実施の形態１の側溝排水装置における縮小模型実験で使用するベルマウス型の定義を説明する説明図である。
【図９】図９は本発明の実施の形態２の側溝排水装置で使用する全体の正面から見た断面図（ａ）及び側面から見た断面図（ｂ）である。
【図１０】図１０は本発明の実施の形態２の側溝排水装置で使用する上枡受の平面図（ａ）及びグレーチングを除いた上枡の平面図（ｂ）である。
【図１１】図１１は本発明の実施の形態３の側溝排水装置で使用する本体の側面から見た断面図(ａ)、グレーチングを除いた上枡の平面図（ｂ）である。
【図１２】図１２は従来から一般的に施工されている側溝排水装置の断面の説明図である。
【発明を実施するための形態】
【００２７】
以下、本発明の実施の形態について、図面に基づいて説明する。なお、実施の形態において、図示の同一記号及び同一符号は、同一または相当する機能部分であるから、ここではその重複する説明を省略する。
【００２８】
［実施の形態１］
一般に、道路または橋梁における側溝排水装置１００は、大別して本体１０と排水管路Ｐ（図９参照）に導く排水排出口Ｂ（図８参照）と排水部２０によって構成されており、道路の冠水を防ぐため速やかに雨水を排出し、降雨時の車両走行の安全性を保っている。しかし、近年のゲリラ豪雨では、設計基準を超えた局地的な降雨によって道路冠水がしばしば生じている。また、橋梁の長寿命化が叫ばれる現今、排水管路Ｐの破損や詰まり、或いは排水能力不足から雨水の滞留時間が増すことで橋梁全体にさまざまな悪影響を及ぼす結果となっている。
そこで、発明者らは橋梁の長寿命化の妨げとなっている雨水の限界排水量の向上を目的とし、１／４縮小模型の側溝排水装置１００を形成する本体１０及び排水管路Ｐに導く排水排出口Ｂと同一径の排水部２０の最適な形状について多くの比較実験を行った。
【００２９】
まず、側溝排水装置１００を形成する本体１０と排水管路Ｐに導く排水排出口Ｂと同一径の排水部２０の実験で用いる形状を図１の概念図のように特定した。ベルマウス形状を本体１０としたベルマウス型(ａ)、中日本高速道路株式会社の推奨規格品の形状であるＮＥＸＣＯ型の規格品（以下、これを「規格Ｎ型」と云う）(ｂ)とした。また、雨水の流れを考慮した角錐型でその内部に排水を導くリブを取り付けた角錐リブ型(ｃ)、国土交通省の推奨規格品である国土交通省型の規格品（以下、これを「規格Ｍ型」と云う）(ｄ)、基本的な旧式形状である規格品（以下、これを「旧排水型」と云う）(ｅ)、円錐形である漏斗状の円錐型(ｆ)の６種類を各複数制作し、その実験結果は平均をとった。
なお、排水吸込口Ａ（図８参照）の形状は後述するＤ(排水排出口の直径)で示した楕円方程式と同じ断面とし、流入部から排水排出口Ｂまでの高さは１００ｍｍ、排水排出口Ｂは内径４０ｍｍの円形に統一した。なお、念の為、記載するが、フルード相似に基づく流量の縮尺は、λ=(１/４)５／２＝０．０３１３である。
【００３０】
側溝排水装置１００の１／４縮小模型実験での限界排水量を測定した測定原理の原理説明図は図２に示すものである。
即ち、雨水に相当する水Ｗは一定水位に維持される水槽１１６から、水中ポンプ１１１によって汲み上げ速度を可変として汲み上げている。水中ポンプ１１１によって汲み上げた水Ｗは、管路１１２を通り、吐出口１１３から現実のアスファルト路面を模した模擬路面１１４に供給される。模擬路面１１４は側溝排水装置１００が限界排水量を超えたときから路面冠水が生じ、模擬路面１１４の水位が上昇する。ここで、水中ポンプ１１１からの供給水量を固定し、メスシリンダーを用いて単位時間当たりの排水量１１５を計測した、なお、限界排水量は３回以上計測した平均値（相加平均；算術平均値）を用いた。表１にその結果を示す。
【００３１】
【表１】
2016156243.tif 000003
【００３２】
１／４縮小模型実験でのベルマウス型(ａ)は１２．２２ｓ（秒）間に平均流量が２９．９５ｌ/ｓであり、即ち、限界排水量が２．４５ｌ/ｓ、それを実寸大に変換した平均流量は７８．４６ｌ/ｓ、また、標準的形状である規格Ｎ型(ｂ)は限界排水量が１．４３ｌ/ｓ、実寸大に変換した平均流量は４５．７２ｌ/ｓ、錐型の内部にリブを取り付けた角錐リブ型(ｃ)は限界排水量が１．３９ｌ/ｓ、実寸大に変換した平均流量は４３．１２ｌ/ｓ、国土交通省の標準的形状である国土交通省型の規格Ｍ型(ｄ)は限界排水量が１．３７ｌ/ｓ、実寸大に変換した平均流量は４３．８４ｌ/ｓ、そして、基本的な旧式形状である旧排水型(ｅ)は限界排水量が１．３７ｌ/ｓ、実寸大に変換した平均流量は４４．１３ｌ/ｓ、漏斗状の円錐型(ｆ)は限界排水量が１．５１ｌ/ｓ、実寸大に変換した平均流量は３８．２４ｌ/ｓである。
【００３３】
１／４縮小模型でのベルマウス型(ａ)の限界排水量が２．４５ｌ/ｓとは、旧排水型(ｅ)に対しては限界排水量が４４．１３％、また、規格Ｎ型(ｂ)に対しては限界排水量が４１．７３％、国土交通省の標準的形状である国土交通省型の規格Ｍ型(ｄ)に対しては限界排水量が４３．９８％、角錐リブ型(ｃ)に対しては限界排水量が４３．１２％、漏斗状の円錐型(ｆ)に対しては限界排水量が３８．２４％であった。
【００３４】
このように、１／４縮小模型実験での限界排水量は、アスファルト路面Ｌまたはその沿面を流れた雨水が図８に示す本体１０の排水吸込口Ａから排水排出口Ｂ（及び排水部２０）から下降して排水される。このとき、旧排水型(ｅ)の本体１０及び排水部２０の内部では図３に示すように、大きな剥離渦５１が発生していることが確認された。それに対して、ベルマウス型(ａ)でも剥離渦が生じると予測していたが、明確な剥離領域は確認されなかった。このことからベルマウス型(ａ)は流れの剥離現象に与える影響、流体抵抗が小さいと判断される。
【００３５】
具体的に考察すると、円錐型(ｆ)では上側の漏斗状の本体１０の入り口部分において、図５のように小規模な剥離渦５３が確認された。このことにより、円錐型(ｆ)とベルマウス型（ａ）との限界排水性能の違いがあると判断された。特に、ベルマウス型（ａ）は内面形状に沿って滑らかに流下するのに対して、旧排水型(ｅ)の場合は、図４に示すように、排水部２０の上部において互いに水平方向に向かい合った流れが衝突し、大きな流体抵抗が生じ、急激に限界排水状態に遷移する。このことは、円錐型(ｆ)においても、図４に示すような互いに水平方向に向かい合った衝突流が存在している可能性が高く、流体抵抗が若干高くなっている可能性がある。
このように雨水の流入量が限界排水量に達していない場合であっても、それぞれの排水流のベクトルは大きく異なっている。旧排水型(ｅ)以外の形状でも概ね同様の傾向が観察されており、このことから本体１０及び排水部２０の通水性能は内部での流れの剥離状態及び衝突流によって決定されることが予想され、特に、管路接合部分において剥離渦を抑制すること、排水流のベクトルが衝突しないことが、限界排水量の向上に繋がると判断される。
【００３６】
縮小模型実験での本体１０の形状としては、ベルマウス型(ａ)が最適であり、限界排水量は公的機関が推奨していた旧排水型(ｅ)に比較して約４０％向上している。また、円錐型(ｆ)は簡易ベルマウス型として好適な結果が得られると推定していたが、約１０％の向上に留まり、期待した結果は得られなかった。しかし、図８に示すベルマウス型に近い比率の形状とすることにより、本体１０の上下方向の長さにより１０％以上の良い結果が得られることが判明した。
また、規格Ｎ型(ｂ)、規格Ｍ型(ｄ)等の形状は、旧排水型(ｅ)と同程度の性能であることが判明した。また、同時に行ったビデオ解析の結果からベルマウス型(ａ)以外は本体１０と排水部２０内で剥離渦５１，５３等の渦が発生し、それが流体抵抗の一部になっていることが確認された。
【００３７】
ここで、発明者らは、簡易ベルマウス型として好適な結果が得られるだろうと推定していた円錐型（ｆ）の特性について更に究明した。
ベルマウス型（ａ）は、図８に示すように、同一径からなる排水排出口Ｂの直径Ｄに対して楕円の長径を２Ｄとし、短径を４Ｄ／３の楕円方程式の曲線に沿って排水吸込口Ａを７Ｄ／３の直径とし、前記排水吸込口Ａの上面を被うグレーチング蓋を通過し、前記排水吸込口Ａから前記排水排出口Ｂに連続的に排水を流すものである。この楕円方程式は基本形であるが、本発明を実施する場合には、正確には前記楕円方程式から数値的に離れても、排水の流れ方向に対する直角な水平ベクトル成分が互いに衝突する部分がない曲線及び／または直線であればよいことが判明した。
なお、排水吸込口Ａから排水管路Ｐまでの排水部２０の距離は、Ｄ／３〜Ｄの長さが好ましいが、前記排水排出口Ｂまでの長さとしても、規格Ｎ型(ｂ)、角錐リブ型(ｃ)、規格Ｍ型(ｄ)、旧排水型(ｅ)、円錐型(ｆ)よりも限界排水量が増大することを確認した。
【００３８】
特に、旧排水型(ｅ)では、図３に示すように、アスファルト路面Ｌに平行する流れが本体１０の排水吸込口Ａから排水部２０の入口に至るまでが速く流れようとするため、本体１０の排水の深部に遅れが生じ、本体１０に水平方向を軸とする渦流（剥離渦５１）が生じる。結果的に、この水平方向を軸とする剥離渦５１の表面が本体１０から排水部２０に至る排水の流れに制動をかけている。
また、他の要因も見受けられる。即ち、図４の旧排水型(ｅ)では、アスファルト路面Ｌに平行する雨水が流れるとき、本体１０の排水排出口Ｂの排水部２０の上部で水平方向のベクトル成分５２の衝突が行われている。したがって、本体１０及び排水部２０では排水の速度が排水排出口Ｂの衝突によって失速しているから、全体の排水流（速度）が低下している。
【００３９】
そして、図５に示すように、本体１０の上部の厚みを薄くし、アスファルト路面Ｌに平行する流れが排水排出口Ｂに至るまでの排水速度を速くした。それによって、本体１０の排水吸込口Ａから排水排出口Ｂに至る排水の流れに障害がないことから、本体１０から排水部２０に至る排水の流れがスムーズになった。しかし、基本的に本体１０の上部のグレーチング蓋の厚みが薄くなっても、本体１０に水平方向を軸とする渦流５３及び本体１０から排水部２０に至る間に衝突流が生じていると推定される。
更に、円錐型（ｆ）となると、本体１０の排水吸込口Ａから排水排出口Ｂに至る排水が、排水排出口Ｂで集中して、図４と同様に、水平方向のベクトル成分の方向性を変更している。排水方向のベクトルから見れば、その何分の幾つかがベクトル成分的に水平方向成分の衝突となっている。したがって、円錐型（ｆ）はベルマウス型（ａ）を前提とする簡易ベルマウス型とは成り立たないものである。錐型の内部にリブを取り付けたリブ型(ｃ)も同様である。
【００４０】
ところで、上記ベルマウス型（ａ）の本体１０及び排水部２０は、楕円方程式で表されることを説明した。
即ち、本体１０はその垂直方向に切断した平面は円形となる。しかし、発明者らは、対向面が楕円方程式で表される形状であれば、円錐型（ｆ）よりも効果があることを確認した。即ち、正確には楕円方程式から数値的に離れても、排水の流れ方向に対する直角な水平ベクトル成分が小さく、互いに衝突する流体が少ない曲線及び／または直線であれば効果があることが確認された。
また、このとき、本体１０の中心と排水部２０の中心が不一致となる２面が異なる角度の面であっても、本体１０にベルマウス形状の一部を採用することにより、規格Ｎ型(ｂ)、角錐リブ型(ｃ)、規格Ｍ型(ｄ)、旧排水型(ｅ)よりも有利であることが確認された。具体的には、ベルマウス形状の一部を採用することにより、旧排水型(ｅ)に比較して約１０〜４０％向上する。
【００４１】
このように、上記実施の形態１の側溝排水装置１００は、道路側溝または橋梁の側溝の排水管路に接続され、排水吸込口Ａよりも排水排出口Ｂの排水流に対する垂直な断面の開口面積の内径を狭く形成した本体１０と、本体１０の排水吸込口Ａの上面を被うグレーチング蓋１３とを具備し、本体１０は、排水排出口Ｂの直径Ｄに対して楕円の長径を２Ｄとし、短径を４Ｄ／３の楕円方程式の曲線に沿って排水吸込口Ａを７Ｄ／３の直径とし、排水吸込口Ａの上面を被うグレーチング蓋１３を通過し、排水吸込口Ａから排水排出口Ｂへと排水を流すものである。
【００４２】
したがって、本実施の形態のベルマウス型（ａ）では剥離領域は確認されなかった。また、排水の流れ方向に対する水平ベクトル成分が互いに衝突する部分が存在していなかった。故に、当然に流れの剥離による流体抵抗は小さいと判断される。
よって、雨水等の排水と共にアスファルト路面を移動する異物を排水と同時に排出でき、雨水、砂、異物等が混在する排水を高効率で排水し、かつ、小型化した側溝排水装置１００とすることができる。特に、本実施の形態の側溝排水装置１００のベルマウス型（ａ）は、現状の規格の構造と比較して約４０％限界排水量が増大している。
【００４３】
［実施の形態２］
発明者らは、図５に示すように、本体１０のグレーチング蓋の設置位置については、水平方向を軸とする渦流が生じないようにアスファルト路面Ｌに平行し、かつ、本体１０の排水吸込口Ａから排水排出口Ｂ、排水部２０に至るまでの排水速度を速くし、本体１０の排水吸込口Ａから排水排出口Ｂ及び排水部２０に至る排水の流れに不連続がなければ、排水処理が効果的に行われることを確認した。
【００４４】
図９及び図１０は本発明の実施の形態２の側溝排水装置１００である。
なお、実施の形態２において、実施の形態１との相違点の説明を重視し、共通する構成の場合には、本実施の形態での説明を省略することもある。
図９及び図１０において、本体１０及び排水部２０は排水吸込口Ａから排水排出口Ｂに至る排水の通路であり、本体１０の排水吸込口Ａ側には、上枡１２及びグレーチング蓋１３が配設されるように、上枡受１１が本体１０に連続して形成されている。上枡受１１は四角な枠体が入る空間となっており、そこに上枡１２が配設される。この上枡１２と上枡受１１とは、両側計４本の高さ調節ボルト１６によって所定の位置に設定している。
そして、上枡受１１に配設された両側計２本の固定用ボルト１５によって所定の位置に上枡１２と上枡受１１とを固着している。
【００４５】
本体１０は、図８に示すように、排水排出口Ｂの直径Ｄに対して楕円の長径を２Ｄとし、短径を４Ｄ／３の楕円方程式の曲線に沿って排水吸込口Ａを７Ｄ／３の直径とし、排水吸込口Ａの上面を被うグレーチング蓋１３を通過し、排水吸込口Ａから排水排出口Ｂに連続的に排水を流すベルマウス型（ａ）のものである。この楕円方程式は基本形であるが、本発明を実施する場合には、正確には楕円方程式から数値的に離れても、排水の流れ方向に対する直角な水平ベクトルが互いに衝突する部分がない曲線及び／または直線であればよい。特に、本体１０の直径Ｄからなる排水排出口Ｂの垂直方向の排水部２０の長さは、排水流の整流作用に寄与するので、好ましくは、排水管路までの排水部２０の距離をＤ／３〜Ｄの長さとしたものである。しかし、その長さをゼロとすることもできる。
【００４６】
また、本体１０及び排水部２０は排水吸込口Ａから排水排出口Ｂに連続的に排水を流すベルマウス型（ａ）のものであり、上部に上枡受１１が配設され、内側には、上枡１２及びグレーチング蓋１３が配設される。また、この本体１０の重心位置を直線で結ぶ位置に両外側に突出する取手１４が配設されている。取手１４は鉄筋をコ字状に曲げた形状である。したがって、取手１４を一人でまたは二人で持って運んだり、据え付けたり、またはベルトでも、ロープでも、ワイヤでも通すことができるから、機械による搬送及び据え付けが可能である。
【００４７】
本体１０及び排水部２０は排水吸込口Ａから排水排出口Ｂに連続的に排水を流すベルマウス型（ａ）の形状であり、その上部に上枡受１１が配設されている。上枡受１１の上に載置された上枡１２に取付けられたグレーチング蓋１３は、片隅が切り欠いた切欠部１３ａとした所定の容積の空間を有しており、上枡１２から直接本体１０のベルマウス型（ａ）の内部形状に供給された排水が移動するようになっている。この切欠部１３ａは、道路の沿面を通過した排水が通る沿面排水供給路３０となる。
【００４８】
詳しくは、切欠部１３ａはグレーチング蓋１３の長さの１／６〜１／４の範囲内で切断する。また、配設された両側計４本の高さ調節ボルト１６によって上枡受１１の下部を受け、所定の位置に水平に設定する。その後、上枡受１１に配設された両側計２本の固定用ボルト１５によって片側に変位させて上枡１２と本体１０の上枡受１１とを固着している。したがって、図９(ｂ)に示すように、左側にグレーチング蓋１３の桟の間隔程度の切欠部１３ａの隙間が、沿面排水供給路３０として形成される。
【００４９】
図９（ａ）に示すように、通常はグレーチング蓋１３の上面と面一にアスファルト路面Ｌが敷設されるから、本実施の形態では、上枡１２の側面から沿面排水供給路３０を維持する隙間を形成する必要がある。これによって、アスファルト路面Ｌまたはアスファルト路面Ｌの沿面を流れる雨水は、上枡受１１と上枡１２とで形成される隙間を流れ、ベルマウス型（ａ）の本体１０及び排水部２０の内面に沿って流れる。
このとき、ベルマウス型（ａ）の本体１０及び排水部２０の内面に排水が垂下するのを防止する排水路ガイド３１を形成することにより、ベルマウス型（ａ）の本体１０及び排水部２０の内面に沿って排水が流れる。
【００５０】
この実施の形態の排水の流れは、グレーチング蓋１３の切欠部１３ａの隙間により、本体１０及び排水部２０の内面を垂直軸の周りを回動する流れとなるから、ベルマウス型（ａ）の本体１０の内面の垂直軸に対して渦流が生ずる。この渦流は、本体１０及び排水部２０の内面の垂直軸に対して生ずるものであるから、アスファルト路面Ｌの方向軸に対して発生する渦流とは異なり、排水流の流速には影響を及ぼさない。そればかりか、このとき発生する渦流は、後述する図１１（ａ）及び図１１（ｂ）に示すように、排水の流れを巻き込み、そして、下降するものであるから排水が通りやすくなり、その流速も早くなる。
なお、ベルマウス型（ａ）の本体１０及び排水部２０の内面に排水が垂下するのを防止する排水路ガイド３１は、垂直方向を軸とする渦巻きを生成させるものであるが、本発明を実施する場合には、沿面排水供給路３０が本体１０の内面に接触する接線方向に配水するものであるから、排水路ガイド３１がなくても回転流が生じ、排水を吸引することができる。しかし、排水路ガイド３１が存在すると、回転流が生じ易くなる。
【００５１】
本実施の形態の側溝排水装置１００は、上枡１２とグレーチング蓋１３との相対移動を止める固着を水平方向に螺合する固着方法としている。この発明を提示するまでの業界では、グレーチング蓋１３の固着は垂直方向に上枡１２または上枡受１１に螺止する方法を選択してきた。しかし、本実施の形態では、上枡１２とグレーチング蓋１３の角隅を切欠き沿面排水供給路３０として使用するので、異物がボルトに絡まったり、小石が挟まったりして、排水の流れの障害が生ずる可能性がある。
そこで、本発明者らは、図９(ｂ)に示すように、上枡１２とグレーチング蓋１３とを水平方向にボルトナット１９で締め付け、グレーチング蓋１３が容易に離脱できないようにしている。
【００５２】
本実施の形態の上枡１２とグレーチング蓋１３とを水平方向に挿入したボルトナット１９の締め付けは、上枡１２とグレーチング蓋１３の上面を一致させ、上枡１２とグレーチング蓋１３に穿設された貫通孔にボルトを挿通し、そこにナットを螺合すればよい。このとき、通常、電動工具を使用してボルトナット１９を締め付けるが、ナット側を上枡１２に溶接しておき、グレーチング蓋１３を貫通したボルトで螺止してもよい。両者を組付けた後に、上枡受１１と上枡１２との位置決め、または設置を行えばよい。
このように、上枡１２とグレーチング蓋１３とを水平方向に挿入したボルトナット１９を締め付けることで、排水を流したときに、当該ボルトの端部に異物が引っ掛かり流れを阻害することがない。また、ラチェット機構でボルト締めを行うことができ、作業性も低下しない。
【００５３】
また、本実施の形態においては、本体１０の内面に排水が垂下するのを防止する排水路ガイド３１は、内方向に所定の長さの突形状に形成したものであるが、本発明を実施する場合には、雨水等の沿面排水供給路３０を通過した排水が、本体１０及び排水部２０の内面に沿って流れるようにするものであるから、この排水路ガイド３１は排水が通る所定長の溝として形成することもできる。
しかし、本体１０及び排水部２０をＦＲＰで形成する場合であっても、射出成型で形成する硬質塩化ビニル形成する場合であっても、成型型から外すことを考慮すると、排水路ガイド３１で形成した方が効果的である。特に、排水路ガイド３１の上部を平坦に近く、下部を徐々に変化させることにより効率の良い排水路ガイド３１が得られる。
【００５４】
このように構成された本実施の形態の沿面排水供給路３０は、雨の量が少ないとき、アスファルト路面Ｌに浸透した雨水または浸透しないで沿面を流れる雨水は、道路のアスファルト路面Ｌの設定によって両側の縁石方向に流れ、その後、縁石に沿って排水としての雨水が流れることになる。縁石に沿って流れる雨水は側溝排水装置のグレーチング蓋１３に向かって流れる。
雨水が側溝排水装置１００に到来すると、グレーチング蓋１３で形成された切欠部１３ａを通過する沿面排水供給路３０の通過となる。すると雨水は、グレーチング蓋１３の切欠部１３ａとの間を通り、ベルマウス型の本体１０の内面に至る。
【００５５】
雨水がベルマウス型の本体１０の内面に至ると、本体１０の排水吸込口Ａから排水排出口Ｂに連続的な流れが生じる。このとき、雨水は排水路ガイド３１に行く手を遮られるから、排水路ガイド３１に沿って流れる。雨水の量が僅少な場合でも、雨水が増加してきても、一部の雨水は、直接本体１０の排水排出口Ｂ側に流れるが、排水路ガイド３１の存在によってその下方にその雨水が移動する。但し、雨水の量が僅少な場合には、排水路ガイド３１の存在に左右されないで、下降するものもある。
【００５６】
一般に、沿面排水供給路３０のみを流れる雨水は、最大であれば、排水路ガイド３１によって本体１０の垂直軸を中心とする渦を発生する。この渦は左回転でも、右回転の渦でもよい。通常、縁石に沿っての雨水の流れ方向、切欠部１３ａの位置によって決定される。故に、切欠部１３ａ及び排水路ガイド３１の位置を反対方向のものを作成すれば、需要に対応できる。
したがって、道路に対する切欠部１３ａの設置位置、縁石に沿っての雨水の流れ方向に応じ、本体１０の内面を清浄化する側溝排水装置１００とすることができる。
【００５７】
集中豪雨のように、雨の量が多いと、アスファルト路面Ｌに浸透した雨水または浸透しないで沿面を流れる雨水は急激に増大する。たとえ、集中豪雨、ゲリラ豪雨といっても、降り出しは沿面排水供給路３０のみを流れる雨水である。しかし、その雨水の量が多いから、排水路ガイド３１によって本体１０の垂直軸を中心とする渦が発生している。更に雨水が増加しても、沿面排水供給路３０の雨水は断たれることなく排水されるから、本体１０の垂直軸を中心とする渦は消えることがない。
【００５８】
ここで、雨水が異常に増加して、グレーチング蓋１３の切欠部１３ａ以外のグレーチング蓋１３の部位からも雨水が流れ込むと、それまでの本体１０に供給された排水による垂直軸を中心とする渦流は生きているから、沿面排水供給路３０から供給される雨水により、本体１０の垂直軸を中心とする渦流となって排水される。
したがって、本体１０に上枡受１１が存在しても、道路の沿面に平行する流れが排水排出口Ｂに至るまでの排水速度を速くし、本体１０の排水吸込口Ａから排水排出口Ｂに至る排水の流れに障害がなく、基本的に本体１０の上枡受１１の厚みが変化しても、本体１０に水平方向を軸とする渦流が生じていないから、本体１０から排水排出口Ｂに至る排水の流れがスムーズである。また、排水方向のベクトルでみても、ベクトル的に水平方向成分の衝突が生じていないから、雨水等の排水の限界排水量を増加できる。
【００５９】
なお、雨水が沿面排水供給路３０の切欠部１３ａを通過する量を超えたときには、沿面排水供給路３０からの雨水に加えて、排水吸込口Ａの上面を被うグレーチング蓋１３を通過して、沿面排水供給路３０から供給された渦流を利用して排水吸込口Ａから排水排出口Ｂに排水を流す排水路は、本実施の形態の主排水路４０を構成している。
【００６０】
［実施の形態３］
図１１は実施の形態３の側溝排水装置１００に関するものである。
実施の形態２においては、グレーチング蓋１３を変形させる方法を採用したが、上枡１２とグレーチング蓋１３を従来の形状とし、本体１０の形状のみで対応することもできる。なお、実施の形態３において、実施の形態１及び実施の形態２との相違点の説明を重視し、共通する場合には、本実施の形態での説明を省略することがある。
【００６１】
図１１において、本体１０は排水吸込口Ａから排水排出口Ｂに至る排水の通路であり、本体１０の排水吸込口Ａ側には、上枡１２及びグレーチング蓋１３が配設されるように、上枡受１１が本体１０に連続して形成されている。上枡受１１は四角な枠体が入る空間となっており、そこに上枡１２が配設される。この上枡１２と上枡受１１とは、上枡受１１の下部に配設された両側計４本の高さ調節ボルト１６によって所定の位置に設定している。そして、上枡受１１に配設された両側計２本の固定用ボルト１５によって所定の位置に上枡１２と上枡１２とを固着しており、この構成は実施の形態２と相違するものはない。
【００６２】
本体１０は、図８に示すように、排水排出口Ｂの直径Ｄに対して楕円の長径を２Ｄとし、短径を４Ｄ／３の楕円方程式の曲線に沿って排水吸込口Ａを７Ｄ／３の直径とし、排水吸込口Ａの上面を被うグレーチング蓋１３を通過し、排水吸込口Ａから排水排出口Ｂに連続的に排水を流すベルマウス型（ａ）のものである。この楕円方程式は基本形であるが、本発明を実施する場合には、正確には楕円方程式から数値的に離れても、排水の流れ方向に対する直角な水平ベクトルが互いに衝突する部分がない曲線及び／または直線であればよい。このベルマウス型（ａ）についても、実施の形態２と相違するものはない。
【００６３】
また、本体１０は排水吸込口Ａから排水排出口Ｂに連続的に排水を流すベルマウス型（ａ）の形状であり、その上部に上枡受１１が形成されている。上枡受１１の上に載置される上枡１２は略四角枠となっている。それを受ける上枡受１１には、上枡１２と本体１０の上枡受１１との間に沿面排水供給路６０が形成されている。
詳しくは、沿面排水供給路６０は上枡１２と上枡受１１との間に１０〜５０ｍｍの幅を設けている。また、奥行の長さ（幅）を１０〜５０ｍｍの空間を形成している。
なお、図示しないが、両側の計４本の高さ調節ボルト１６によって上枡受１１の下部を受け、所定の位置に水平を設定し、上枡受１１に配設された両側で計２本の固定用ボルト１５によって片側に変位させて、上枡１２と本体１０の上枡受１１とを固着している。
【００６４】
図１１に示すように、通常はグレーチング蓋１３の上面と面一にアスファルトが敷設されるから、本実施の形態では、上枡１２の側面から沿面排水供給路６０を維持する隙間を形成する必要がある。上枡受１１の上端は、アスファルトの面よりも下に位置するから埋設の際には、別の木型または金型を使用して沿面排水供給路６０を形成する必要がある。
したがって、これによって、アスファルト路面Ｌまたはその沿面を流れる雨水は、上枡受１１と上枡１２とで形成される隙間を流れ、ベルマウス型（ａ）の本体１０の内面に沿って流れる。但し、沿面排水供給路６０では部分的にベルマウス型（ａ）形状とは異なるが、その異なる部分は部分的であり、特性を大きく左右するものではない。
【００６５】
このとき、ベルマウス型（ａ）の本体１０の内面に排水が垂下するのを防止する排水路ガイド６１を形成することにより、ベルマウス型（ａ）の本体１０の内面に沿って排水が流れる。この排水の流れは、本体１０の内面を垂直軸の周りを回動する流れとなるから、ベルマウス型（ａ）の本体１０の内面の垂直軸に対して渦流が生ずる。この渦流は、本体１０の内面の垂直軸に対して生ずるものであるから、アスファルト路面Ｌ方向の軸に対して発生する渦流とは異なり、排水流の流速には影響を及ぼさない。そればかりか、このとき発生する渦流は、図１１（ｂ）に示すように、排水の流れを巻き込み、そして、下降に搬送するものであるから、排水が通りやすくなり、その流速も早くなる。
【００６６】
また、本実施の形態における本体１０の内面に排水が垂下するのを防止する排水路ガイド６１は、内方向に所定の長さの突形状に形成したものであるが、本発明を実施する場合には、雨水等の沿面排水供給路６０を通過した排水が、本体１０の内面に沿って流れるようにしたものである。この排水路ガイド６１は排水が通る所定長の溝として形成することもできる。しかし、本体１０をＦＲＰで形成する場合であっても、塩化ビニル樹脂等の射出成型で形成する場合であっても、成型型から外すことを考慮すると、排水路ガイド６１で形成した方が効果的である。特に、排水路ガイド６１の上部を平坦に近く、下部を徐々に変化させることにより効率の良い排水路ガイド６１が得られる。
【００６７】
このように構成された本実施の形態の沿面排水供給路６０は、雨の量が少ないとき、アスファルト路面Ｌに浸透した雨水または浸透しないで沿面を流れる雨水は、道路のアスファルト路面Ｌの設定によって両側の縁石方向に流れ、その後、縁石に沿って雨水が流れる。このとき、縁石に沿って流れる雨水は側溝排水装置１００のグレーチング蓋１３に向かって流れることになる。
雨水が側溝排水装置１００に到来すると、グレーチング蓋１３の直前で上枡１２と上枡１２で形成された沿面排水供給路６０に到着する。すると雨水は、上枡受１１と上枡１２との間を通り、及びグレーチング蓋１３の下を通り、ベルマウス型の本体１０の内面に至る。
【００６８】
雨水がベルマウス型の本体１０の内面に至ると、本体１０の排水吸込口Ａから排水排出口Ｂに連続的な流れが生じる。このとき、雨水は排水路ガイド６１に行く手を遮られるから、排水路ガイド６１に沿って流れる。雨水の量が僅少な場合でも、雨水が増加してきても、一部の雨水は、直接本体１０の排水排出口Ｂ側に流れるが、排水路ガイド６１の存在によってその下方にその雨水が移動する。但し、雨水の量が僅少な場合には、排水路ガイド６１の存在に左右されないで、下降するものもある。
【００６９】
一般に、沿面排水供給路６０のみを流れる雨水は、最大であれば、排水路ガイド６１によって本体１０の垂直軸を中心とする渦が発生する。その渦は左回転でも、右回転の渦でもよい。縁石に沿っての雨水の流れ方向、沿面排水供給路６０の位置によって決定される。故に、沿面排水供給路６０及び排水路ガイド６１の位置を反対方向のものを作成すれば、需要に対応できる。したがって、道路に対する沿面排水供給路６０の設置位置、縁石に沿っての雨水の流れ方向に応じ、本体１０の内面を清浄化する側溝排水装置１００とすることができる。
【００７０】
集中豪雨のように、雨の量が多いと、アスファルト路面Ｌに浸透した雨水または浸透しないで沿面を流れる雨水は急激に増大する。たとえ、集中豪雨、ゲリラ豪雨といっても、降り出しは沿面排水供給路６０のみを流れる雨水である。しかし、その雨水の量が多いから、排水路ガイド６１によって本体１０の垂直軸を中心とする渦が発生している。更に雨水が増加しても、沿面排水供給路６０の雨水は断たれることなく排水されるから、本体１０の垂直軸を中心とする渦は消えることがない。
【００７１】
ここで、雨水が異常に増加して、グレーチング蓋１３からも雨水が流れ込むと、それまでの本体１０の垂直軸を中心とする渦は生きているから、沿面排水供給路６０から供給される雨水により、本体１０の垂直軸を中心とする渦となって排水される。
したがって、本体１０に上枡受１１が存在しても、道路の沿面に平行する流れがグレーチング蓋１３、排水吸込口Ａから排水排出口Ｂ、排水部２０に至るまでの排水速度を速くし、本体１０の排水吸込口Ａから排水排出口Ｂに至る排水の流れに障害がなく、基本的に本体１０の上枡受１１の厚みが変化しても、本体１０の水平方向を軸とする渦流が生じていないから、本体１０から排水排出口Ｂに至る排水の流れがスムーズである。また、排水方向のベクトルをみても、ベクトル的に水平方向成分の衝突が生じていないから、雨水等の排水の限界排水量を増加できる。
【００７２】
なお、雨水が沿面排水供給路６０を通過する量を超えたときには、沿面排水供給路６０からの雨水に加えて、排水吸込口Ａの上面を被うグレーチング蓋１３を通過して、沿面排水供給路６０から供給された渦流を利用して排水吸込口Ａから排水排出口Ｂに排水を流す排水路は、本実施の形態の主排水路７０を構成している。
【００７３】
上記実施の形態２及び実施の形態３の側溝排水装置１００は、道路側溝または橋梁の側溝の排水管路Ｐに接続され、垂直方向の同一中心軸の排水吸込口Ａよりも排水排出口Ｂの排水流に対する開口面積を順次狭く形成した本体１０と、本体１０の排水吸込口Ｂの内面の接線方向に排水を供給する沿面排水供給路３０，６０と、本体１０の排水吸込口の上面を被うグレーチング蓋１３と、排水が沿面排水供給路３０，６０からのみ供給されるときには、本体１０体に形成された内面の接線方向に、また、排水が沿面排水供給３０，６０を通過する量を超えたときには、沿面排水供給路３０，６０からの排水の供給に加えて、前記排水吸込口Ａの上面を被うグレーチング蓋１３を通過して、沿面排水供給路３０，６０から供給された渦流を利用して排水吸込口Ａから排水排出口Ｂに排水を流す主排水路４０，７０を具備するものである。
【００７４】
上記実施の形態３の沿面排水供給路３０，６０は、グレーチング蓋１３の平面視の外方向位置から、グレーチング蓋１３の下側を通過する排水路としたものである。
この発明の側溝排水装置１００は、グレーチング蓋１３の平面視の外方向位置から、グレーチング蓋１３の下側を通過する排水路としたものであるから、グレーチング蓋１３の外側及び下側に通過する沿面排水供給路３０，６０は、グレーチング蓋１３を通過する排水量の多いときに負圧になり清掃されるから、目詰まりが生じ難い。また、組み付け、分解の際には、グレーチング蓋１３の取手１４として手を差し入れる空間として使用できるから、取手兼用の窪みとすることができる。
【００７５】
上記実施の形態２及び実施の形態３の沿面排水供給路３０，６０の本体１０は、内部の面の接線方向に本体１０の中心方向に突出する排水路ガイド３１，６１を形成し、沿面排水供給路３０，６０で運ばれた排水が内周面を巻回する流れとしたものである。
そして、側溝排水装置１００の本体１０は、内部の面の接線方向に本体１０体の中心方向に突出する排水路ガイド３１，６１を形成し、沿面排水供給路３０，６０で運ばれた排水が内周面を巻回する流れとしたものであるから、本体１０の排水吸込口Ａから排水排出口Ｂに至るまで沿面排水供給路３０，６０で運ばれた排水を受けて、本体１０の内面を通る水路を形成できるから、安定した排水の流れができる。
【００７６】
上記実施の形態２及び実施の形態３の側溝排水装置１００の本体１０は、排水排出口Ｂの直径Ｄに対して楕円の長径を２Ｄとし、短径を４Ｄ／３の楕円方程式の曲線に沿って排水吸込口を７Ｄ／３の直径のベルマウス構造（ａ）としたものである。排水排出口Ｂの直径Ｄに対して楕円の長径を２Ｄとし、短径を４Ｄ／３の楕円方程式の曲線に沿って排水吸込口を７Ｄ／３の直径のベルマウス構造としたものであるから、前記楕円方程式に近いと排水速度が速く、単位時間当たりの排水量が増加する。
【００７７】
殊に、流れの剥離による流体抵抗は小さいと推定されるが、円錐型（ｆ）では上側の漏斗状部分と下側の排水部２０との接合点において小規模な剥離渦５３が確認され、かつ、ベクトル的に水平方向成分の衝突が生じていると推定されるから、雨水等の排水の限界排水量を増加できる。このことがベルマウス型（ａ）との限界排水性能の違いである。特に、ベルマウス型（ａ）では本体１０の形状に沿って滑らかに流れるのに対して、従来及び現行品の縮小模型では排水部２０の上部で水平方向に向かい合った流れが衝突することでベクトル的に大きな流体抵抗が生じ、急激に限界排水状態へ遷移し、このように雨水流入量が限界排水量に達していない場合であっても、それぞれの流れの様子は大きく異なる。箱形以外の形状でも概ね同様の傾向が観察されており、このことから排水枡の通水性能は内部での流れの剥離状態によって決まることが推定される。特に、剥離を抑制することが排水量の限界の向上に繋がる。
【００７８】
加えて、実施の形態２の側溝排水装置１００の本体１０は、その重心位置の対向側に全体を持ち上げるコ字状の取手１４を配設したものである。
したがって、その重心位置の対向側の外側に全体を持ち上げるコ字状の取手１４を配設したことにより、通常２０Ｋｇ以上の装置は、１人または２人の人力でも腰に大きな負担をかけるが、簡単な機械、例えば、ハンドリフト、トラックリフト等を使用することにより、かつ、安定した持ち上げが可能である。
【００７９】
更に、実施の形態１乃至実施の形態３の側溝排水装置１００においては、前記本体の直径Ｄからなる前記排水排出口の垂直方向の長さは、Ｄ／３〜Ｄとしたものであるから、排水排出口Ｂの垂直方向の長さの排水部２０は、排水管路Ｐまでの距離をＤ／３〜Ｄの長さとしたものであるから、排水流の整流作用で流れがスムーズであり、限界排水量を増加させることができる。
更にまた、実施の形態２の側溝排水装置１００のグレーチング蓋１３は、前記本体１０に連続して形成された上枡１２にグレーチング蓋１３を重ね、水平方向にボルトナットで螺合でき、排水の流れの邪魔にならない。また、異物の侵入に対して排水として流してしまうので、引っ掛かりによって排水を阻害することがない。
【符号の説明】
【００８０】
Ａ    排水吸込口
Ｂ    排水排出口
Ｄ    排水排出口の直径
Ｐ    排水管路
１０    本体
１１    上枡受
１２    上枡
１３    グレーチング蓋
１４    取手
１５    固定用ボルト
１６    高さ調節ボルト
２０    排水部
３０，６０    沿面排水供給路
３１，６１    排水路ガイド
４０，７０    主排水路
Ｌ    アスファルト路面
１００    側溝排水装置
【図１】
2016156243.tif 000004
【図２】
2016156243.tif 000005
【図３】
2016156243.tif 000006
【図４】
2016156243.tif 000007
【図５】
2016156243.tif 000008
【図６】
2016156243.tif 000009
【図７】
2016156243.tif 000010
【図８】
2016156243.tif 000011
【図９】
2016156243.tif 000012
【図１０】
2016156243.tif 000013
【図１１】
2016156243.tif 000014
【図１２】
2016156243.tif 000015